(57)【特許請求の範囲】
【請求項１】
略矩形の防音パネル本体の外周に取り付けられる防音パネル用枠体であり、
断面が矩形中空の柱状部と、
柱状部の一の面に略平行に対向しており、前記一の面との間に防音パネル本体の縁を挟み込む挟持プレートと、
枠体の外周側で挟持プレートと柱状部を連結する連結部と、を備えており、
枠体の外周に位置する連結部外側面が柱状部外側面よりも枠体の外側に位置しているとともに、連結部外側面と柱状部外側面が段差を形成していることを特徴とする防音パネル用枠体。
【請求項２】
前記段差の幅が、柱状部の板厚よりも大きいことを特徴とする請求項１に記載の防音パネル用枠体。
【請求項３】
柱状部の前記一の面とは反対側に、枠体の内側に向かって開いている略コの字状の断面を有している外枠部が連なっており、
柱状部から遠い側のコの字の端部が前記連結部外側面よりも枠体の外側に位置しており、
一方の枠体の挟持プレート側に他方の枠体を積み重ねたときに、一方の枠体の外枠部と他方の枠体の外枠部が接触するとともに、一方の枠体の挟持プレートと他方の枠体の柱状部との間に空隙が形成されることを特徴とする請求項１又は２に記載の防音パネル用枠体。
【請求項４】
前記空隙に、柱状部と挟持プレートの少なくとも一方を貫通してパネル本体を固定するボルトの一端が位置することを特徴とする請求項３に記載の防音パネル用枠体。
【請求項５】
挟持プレートと連結部の結合部が枠体の内側に向かって湾曲しており、前記一方の枠体における湾曲によって形成された空間に、前記他方の枠体の外枠部の柱状部に近い側のコの字の端部が、結合部に接することなく位置することを特徴とする請求項３又は４に記載の防音パネル用枠体。
【請求項６】
略矩形のパネル本体に、請求項１乃至５のいずれか１項に記載の防音パネル用枠体が取り付けられていることを特徴とする防音パネル。
【発明の詳細な説明】
【技術分野】
【０００１】
本発明は、防音パネル本体の外周に取り付けられる防音パネル用枠体、および防音パネル用枠体を備えた防音パネルに関する。
【背景技術】
【０００２】
周囲へ広がる騒音を低減するために建設現場などでは防音パネルが用いられる。防音パネルは、略矩形のパネル本体の周囲に枠体が取り付けられている。防音パネルは、枠体を含んでも略平板状であるため、積み重ねて仮置きされることが多い。枠体は、積み重ねる際のずれを防止する機能や、運ぶ際の取っ手として機能する。
【０００３】
特許文献１に、積み重ねに伴う変形がなく、保管時や運搬時の取り扱いが容易な防音パネルの枠体及び同枠体を用いた防音パネルが開示されている。その枠体は、積み重ねたときに重合する面を備えている。
【０００４】
【特許文献１】特開２００６−３１６４４４号公報
【発明の開示】
【発明が解決しようとする課題】
【０００５】
特許文献１に開示された防音パネル用枠体は、積み重ねた際に上下の枠体が面接触することによって、積み重ね時の変形を防止する。しかしながら、枠体を掴んで運ぶには必ずしも扱い易いとは言い難かった。
【０００６】
本発明は上記課題に鑑みて創作されたものであり、取り扱いが容易な防音パネル用枠体を提供することを目的とする。
【課題を解決するための手段】
【０００７】
本発明の防音パネル用枠体は、断面が矩形中空の柱状部と、柱状部の一の面に略平行に対向しており前記一の面との間に防音パネル本体の縁を挟み込む挟持プレートと、枠体の外周側で挟持プレートと柱状部を連結する連結部を備えている。この枠体は、枠体の外周に位置する連結部外側面が柱状部外側面よりも枠体の外側に位置しているとともに、連結部外側面と柱状部外側面が段差を形成していることを特徴とする。
【０００８】
連結部外側面と柱状部外側面が形成する段差に指を引っ掛けることができるので、この枠体を用いることによって、ユーザは積み重ねられた防音パネルを容易に一枚ずつ取り上げることができる。特に、上記の段差を備えることによって、挟持プレートを上にして積み重ねた場合に、一枚ずつ取り上げ易くなる。
【０００９】
段差の幅は、柱状部の板厚よりも大きいことが好ましい。板厚よりも大きい幅の段差を有していることによって、ユーザは指を引っ掛け易くなる。
【００１０】
本発明の枠体はさらに次の技術的特徴を備えていることが好ましい。
・柱状部の前記一の面とは反対側に、枠体の内側に向かって開いている略コの字状の断面を有している外枠部が連なっている。外枠部は、柱状部に沿って伸びている。
・柱状部から遠い側のコの字の端部が前記連結部外側面よりも枠体の外側に位置している。
・一方の枠体の挟持プレート側に他方の枠体を積み重ねたときに、一方の枠体の外枠部と他方の枠体の外枠部が接触するとともに、一方の枠体の挟持プレートと他方の枠体の柱状部との間に空隙が形成される。
【００１１】
断面コの字状の外枠部は、柱状部の前記一の面とは反対側に直接に連結されていてよいし、柱状部の前記一の面とは反対側から前記一の面と直交する方向に延設されているフランジを介して連結されていてもよい。
【００１２】
上記の技術的特徴を備えていることによって、枠体を積み重ねたときに、一方の枠体の柱状部の外側に他方の枠体の外枠部が位置する。
【００１３】
前記空隙に、柱状部と挟持プレートの少なくとも一方を貫通してパネル本体を固定するボルトの一端を位置させることができる。空隙を形成することによって、枠体を重ねた際に、一方の枠体の挟持プレートと他方の枠体の柱状部との間にボルトの一端が挟まれて積み重ねが不安定になってしまうことを防止する。
【００１４】
挟持プレートと連結部の結合部が枠体の内側に向かって湾曲しており、前記一方の枠体における湾曲によって形成された空間に、積み重ねられた前記他方の枠体の外枠部の柱状部に近い側のコの字の端部が、結合部に接することなく位置することが好ましい。結合部とコの字の端部の間に形成される空隙が、上下に積み重ねられた枠体同士の横ずれのクリアランスとして機能する。
【００１５】
本発明は、略矩形のパネル本体に、上記した防音パネル用枠体が取り付けられていることを特徴とする防音パネルに具現化することもできる。
【発明の効果】
【００１６】
本発明によれば、取り扱いが容易な防音パネル用枠体を実現することができる。特に、挟持プレートを上にして積み重ねた場合に、上から一枚ずつ取り上げ易い枠体を実現することができる。
【実施例】
【００１７】
図面を参照して、本発明の実施例を説明する。図１は、防音パネル１０の平面図である。防音パネル１０は、略矩形のパネル本体１２と、枠体１４（防音パネル用枠体）から構成されている。枠体１４は、パネル本体１２の外周を囲っている。パネル本体１２と枠体１４は、各辺の２箇所でネジ止めされている。図１に示す破線がネジ１６を示している。パネル本体１２は、樹脂で形成されている。枠体１４は、アルミ等の金属の押し出し成形によって形成されている。
【００１８】
枠体１４を詳しく説明する。図２は、図１のII−II線に沿って見たときの防音パネル１０の断面図を示す。図３は、枠体１４の斜視図である。図３では、一部の部品の符号を省略している。各部品の符号は図２を参照されたい。
【００１９】
枠体１４は、断面が矩形中空の柱状部２０によって強度を保持している。図２の右側が枠体１４の外周側であり、左側が内周側である。柱状部２０の外周４面を夫々第１面２０ａ、第２面２０ｂ、第３面２０ｃ、及び第４面２０ｄと称する。第２面２０ｂは、枠体１４の外周側に位置している。第４面２０ｄは、枠体１４の内周側に位置している。
【００２０】
挟持プレート２２が、第１面２０ａに対して略平行に対向している。柱状部２０と挟持プレート２２は、枠体１４の外側で連結部２４によって連結されている。柱状部２０の第１面２０ａと挟持プレート２２の間に、パネル本体１２が挟持される。第１面２２ａには隆起部２２ｅが形成されており、この隆起部２２ｅがパネル本体１２を挟持プレート２２に向かって押し付ける。
【００２１】
連結部２４と挟持プレート２２の結合部２６は、枠体１４の内側に向かって湾曲している。
【００２２】
連結部２４において、枠体１４の外周に位置する面を外側面２４ａと称する。外側面２４ａは、柱状部２０の第２面２０ｂ（柱状部２０の枠体外側の面）よりも枠体１４の外側に位置しており、外側面２４ａと第２面２０ｂが段差２５を形成している。段差２５の大きさは、柱状部２０の板厚ｄよりも大きい。
【００２３】
柱状部２０の第２面２０ｂと第３面２０ｃの結合部付近から、第１面２０ａと直交する方向にフランジ２８が延設されている。フランジ２８の先端に、断面が略コの字形状の外枠部３０が連結している。外枠部３０のコの字の２つの端部のうち、フランジ２８と連結している方の端部（柱状部２０に近い方の端部）を近位端３０ｅと称し、柱状部２０に遠い方の端部を遠位端３０ｄと称する。遠位端３０ｄは、連結部２４の外側面２４ａよりも枠体１４の外側に位置している。後述するように、枠体１４を積み重ねると、一方の枠体１４の外枠第１面３０ａと他方の枠体１４の外枠第３面３０ｃが接触する。
【００２４】
図４に２つの防音パネル１０ａと１０ｂを積み重ねたときの断面図を示す。図４の断面図は、図１のIV−IV線に沿って見たときの断面図である。即ち図４には、パネル本体１２と枠体１４を連結するネジ１６が表されている。図４では、一部の部品の符号を省略している。各部品の符号は図２を参照されたい。
【００２５】
図４は、下側の防音パネル１０ｂの挟持プレート２２側に、上側の防音パネル１０ａを積み重ねた様子を示している。２つの防音パネルを積み重ねると、下側の防音パネル１０ｂの外枠第１面３０ａと上側の防音パネル１０ａの外枠第３面３０ｃが面接触する。このとき、下側の防音パネル１０ｂの挟持プレート２２と、上側の防音パネル１０ａの柱状部２０が、空隙５０を隔てて対向する。この空隙５０に、柱状部２０を貫通してパネル本体１２を固定するボルト１６のボルト頭が位置する。空隙５０によって、上側の防音パネル１０ａのボルト１６が、下側の防音パネル１０ｂに接触しない。これによって、防音パネル１０ａ、１０ｂは、積み重ねた際にガタつくことがない。なお、外枠第１面３０ａの幅は、外枠第３面３０ｃの幅よりも広い。
【００２６】
下側の防音パネル１０ｂの結合部２６と上側の防音パネル１０ａの近位端３０ｅとの間にも空隙５２が形成されている。この空隙５２は、上下の防音パネルの横方向のクリアランスとして機能する。即ち、この空隙５２は、上下の防音パネルが横方向に大きくずれることを防止する。上下の防音パネルが横方向のずれなく積み重ねられているときには、下側の防音パネル１０ｂの結合部２６と上側の防音パネル１０ａの近位端３０ｅは接触しない。
【００２７】
図４に示すように、挟持プレート２２を上側にして防音パネル１０を積み重ねると、最上段の防音パネルの段差２５が露出する。この段差２５に指を引っ掛けることで、最上段の防音パネルを容易に取り上げることができる。
【００２８】
柱状部２０は、パネル本体１２に平行な方向の幅（第１面２０ａ、第３面２０ｃの幅）がパネル本体１２と直交する方向の幅（第２面２０ｂ、第４面２０ｄの幅）よりも大きい。そのような形状によって、枠体１４の強度を維持しながら、枠体１４の高さ（パネル本体１２と直交する方向の枠体１４全体の幅）を抑制することができる。
【００２９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００３０】
例えば、実施例の防音パネルでは、ネジ１６は柱状部２０を貫通してパネル本体１２を固定している。これに代えてネジ１６は、挟持プレート２２を貫通してパネル本体１２を固定してもよい。その場合でも、防音パネル積み重ねたときに、ネジ１６の一方の端部が挟持プレート２２と柱状部２０の間の空隙５０に位置するので、実施例の防音パネルと同様の効果を奏する。
【００３１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００３２】
【図１】防音パネルの平面図を示す。
【図２】図１のII−II線に沿って見たときの枠体の断面図を示す。
【図３】枠体の斜視図である。
【図４】防音パネルを積み重ねたときの断面図を示す。
【符号の説明】
【００３３】
１０：防音パネル
１２：パネル本体
１４：枠体
１６：ネジ
２０：柱状部
２２：挟持プレート
２４：連結部
２８：フランジ
３０：外枠部
【図１】
0004869265.tif 000002
【図２】
0004869265.tif 000003
【図３】
0004869265.tif 000004
【図４】
0004869265.tif 000005